(57)【要約】【課題】小動物が排出する糞尿の処理を効率良く行うことができる共に、飼い主の経済的負担を軽減することができる糞尿処理部材および糞尿処理トイレを提供すること。【解決手段】シート体に覆い被せられた糞尿固化剤に糞尿が排出されると、その糞尿は糞尿固化剤によって糞尿塊となる。シート体上の糞尿固化剤と糞尿塊とは、シート体で包み込まれた状態で持ち上げられ、シート体に穿設された落とし孔から糞尿塊以外の余剰糞尿固化剤がシート体の外部に振るい落とされる。よって、シート体の内側には糞尿塊が残留する。【選択図】    図２
2004194596.tif 000002
【特許請求の範囲】
【請求項１】
小動物の糞尿を固める糞尿固化剤によって固められた糞尿塊を処理する糞尿処理部材であって、
前記糞尿固化剤に覆い被せられ、その覆い被せられた糞尿固化剤を包み込む柔軟なシート体と、
そのシート体に穿設され、前記シート体に包み込まれた糞尿固化剤のうち前記糞尿塊と分離して存在する余剰糞尿固化剤を前記シート体から振るい落とす落とし孔とを備えていることを特徴とする糞尿処理部材。
【請求項２】
前記シート体の端部に連設され、前記糞尿塊を包み込んだ状態のシート体を収納する収納部材を備えていることを特徴とする請求項１に記載の糞尿処理部材。
【請求項３】
前記収納部材は、対峙する２面を有する袋体であって、その袋体の少なくとも１面は前記シート体の一部で構成されていることを特徴とする請求項２に記載の糞尿処理部材。
【請求項４】
前記シート体には、そのシート体の位置ズレを防止するための位置決め孔が穿設されていることを特徴とする請求項１から３のいずれかに記載の糞尿処理部材。
【請求項５】
前記小動物は、ペットとしての猫や犬であって、
前記落とし孔は、略４０平方ミリメートルから略１６０平方ミリメートルの大きさで構成されていることを特徴とする請求項１から４のいずれかに記載の糞尿処理部材。
【請求項６】
前記小動物は、ペットとしての猫であって、
前記落とし孔は、略６０平方ミリメートルから略１００平方ミリメートルの大きさで構成されていることを特徴とする請求項１から４のいずれかに記載の糞尿処理部材。
【請求項７】
前記シート体は、不織布で構成されていることを特徴とする請求項１から６のいずれかに記載の糞尿処理部材。
【請求項８】
小動物の糞尿を固める糞尿固化剤によって固められた糞尿塊を処理する糞尿処理トイレであって、
請求項１から７に記載された糞尿処理部材や糞尿処理部材に覆い被せる糞尿固化剤を支持する支持プレート、および、その支持プレートを引き出し可能に装着し、その支持プレートを取り囲む側壁を有する第１処理容器と、
その第１処理容器と着脱自在に装着され、前記側壁から前記支持プレートを引き出した場合に、前記支持プレートから落下する前記糞尿固化剤を受け止める第２処理容器とを備えていることを特徴とする糞尿処理トイレ。
【請求項９】
前記側壁には、前記第２処理容器を引き出し可能に装着するための開口部を形成しつつ、前記第１処理容器を支持する足場部材が連設されていることを特徴とする請求項８に記載の糞尿処理トイレ。
【請求項１０】
前記足場部材の一端側には、前記第２処理容器の底面を支持する土台部材が連設されていることを特徴とする請求項９に記載の糞尿処理トイレ。
【請求項１１】
前記第１処理容器の側壁には、前記糞尿処理部材に穿設された位置決め孔に挿嵌する挿嵌部材が配設されていることを特徴とする請求項８から１０のいずれかに記載の糞尿処理トイレ。
【請求項１２】
前記側壁には前記支持プレートと対峙するように、前記糞尿処理部材に穿設された落とし孔よりも小さい孔を有する網状体が固定されていることを特徴とする請求項８から１１のいずれかに記載の糞尿処理トイレ。
【発明の詳細な説明】
【０００１】
【発明の属する技術分野】本発明は、糞尿処理部材および糞尿処理トイレに関し、特に、小動物が排出する糞尿の処理を効率良く行えると共に、飼い主の経済的負担を軽減することができる糞尿処理部材および糞尿処理トイレに関するものである。
【０００２】
【従来の技術】従来、小動物が排出した糞尿の処理の仕方としては、ペット用トイレに敷き詰めた砂の上に小動物が糞尿を排出して、その糞尿がある程度溜まった状態になったら、小動物の飼い主が、その砂を洗浄するか若しくは砂と糞尿とを一緒に処分することにより糞尿の処理をしていた。近年では、ペット用トイレに敷き詰められる砂の改良が進み、小動物が排出する糞尿を糞だけでなく尿までも固められた塊とする専用の砂が開発されている。この専用の砂によって固められた糞尿の塊は、一般的には、スコップなどで掬い上げ便器に流して処理するか若しくはビニール袋などに収納して燃えるゴミとして処理されている。しかし、固まった糞尿の塊をスコップなどで取り除くと、糞尿の塊の周辺に存在する固まっていない専用の砂も一緒に取り除いてしまうことになり、必要以上に専用の砂を取り除いてしまう。その結果、小動物の飼い主は、専用の砂を余分に処分してしまうことになり、必要以上に経済的負担がかかるという問題点があった。
【０００３】
そこで、専用の砂によって固められた糞尿の塊のみを取り除き、必要以上に専用の砂を取り除かない装置が開発されている。
【０００４】
特開２００１−３０９７３１号公報に開示されているように、小動物が排出する糞尿を自動的に清掃する排出物処理装置が知られている。この排出物処理装置は、小動物の侵入をセンサーにより感知しており、猫などの小動物が専用のトイレから退出したのを確認すると、電力で駆動する車輪に連動した清掃櫛で固まった糞尿の塊を掻き出して、糞尿の塊のみを処理している（特許文献１参照。）。
【０００５】
【特許文献１】特開２００１‐３０９７３１号公報（図１等）
【０００６】
【発明が解決しようとする課題】しかしながら、上述した固められた糞尿の塊を電力による駆動力で自動的に処理する排出物処理装置では、排出物処理装置自体の製造コストが高くなるだけでなく、常に電力の供給が必要となるためランニングコストもかかる。そのため、小動物の飼い主に経済的負担が増すという問題点があった。
【０００７】
本発明は、上述した問題点を解決するためになされたものであり、小動物の糞尿の処理を効率良く行えると共に、飼い主の経済的負担を軽減する糞尿処理部材および糞尿処理トイレを提供することを目的としている。
【０００８】
【課題を解決するための手段】この目的を達成するために請求項１に記載の糞尿処理部材は、小動物の糞尿を固める糞尿固化剤によって固められた糞尿塊を処理する糞尿処理部材であって、前記糞尿固化剤に覆い被せられ、その覆い被せられた糞尿固化剤を包み込む柔軟なシート体と、そのシート体に穿設され、前記シート体に包み込まれた糞尿固化剤のうち前記糞尿塊と分離して存在する余剰糞尿固化剤を前記シート体から振るい落とす落とし孔とを備えている。
【０００９】
この請求項１に記載の糞尿処理部材によれば、シート体に覆い被せられた糞尿固化剤に糞尿が排出されると、その糞尿は糞尿固化剤によって糞尿塊となる。シート体上の糞尿固化剤と糞尿塊とは、シート体で包み込まれた状態で持ち上げられ、シート体に穿設された落とし孔から糞尿塊以外の余剰糞尿固化剤がシート体の外部に振るい落とされる。よって、シート体の内側には糞尿塊が残留する。
【００１０】
請求項２に記載の糞尿処理部材は、請求項１に記載の糞尿処理部材において、前記シート体の端部に連設され、前記糞尿塊を包み込んだ状態のシート体を収納する収納部材を備えている。
【００１１】
請求項３に記載の糞尿処理部材は、請求項２に記載の糞尿処理部材において、前記収納部材は、対峙する２面を有する袋体であって、その袋体の少なくとも１面は前記シート体の一部で構成されている。
【００１２】
請求項４に記載の糞尿処理部材は、請求項１から３のいずれかに記載の糞尿処理部材において、前記シート体には、そのシート体の位置ズレを防止するための位置決め孔が穿設されている。
【００１３】
請求項５に記載の糞尿処理部材は、請求項１から４のいずれかに記載の糞尿処理部材において、前記小動物は、ペットとしての猫や犬であって、前記落とし孔は、略４０平方ミリメートルから略１６０平方ミリメートルの大きさで構成されている。
【００１４】
請求項６に記載の糞尿処理部材は、請求項１から４のいずれかに記載の糞尿処理部材において、前記小動物は、ペットとしての猫であって、前記落とし孔は、略６０平方ミリメートルから略１００平方ミリメートルの大きさで構成されている。
【００１５】
請求項７に記載の糞尿処理部材は、請求項１から６のいずれかに記載の糞尿処理部材において、前記シート体は、不織布で構成されている。
【００１６】
請求項８に記載の糞尿処理トイレは、小動物の糞尿を固める糞尿固化剤によって固められた糞尿塊を処理する糞尿処理トイレであって、請求項１から７に記載された糞尿処理部材や糞尿処理部材に覆い被せる糞尿固化剤を支持する支持プレート、および、その支持プレートを引き出し可能に装着し、その支持プレートを取り囲む側壁を有する第１処理容器と、その第１処理容器と着脱自在に装着され、前記側壁から前記支持プレートを引き出した場合に、前記支持プレートから落下する前記糞尿固化剤を受け止める第２処理容器とを備えている。
【００１７】
この請求項８に記載の糞尿処理トイレによれば、請求項１から７のいずれかに記載された糞尿処理部材は支持プレート上に支持され、その糞尿処理部材上には糞尿固化剤が覆い被せられる。糞尿固化剤によって固められた糞尿塊を除去すべく、糞尿塊を有する糞尿固化剤を包み込むように糞尿処理部材のシート体を持ち上げると、シート体に穿設された落とし孔から糞尿塊以外の余剰糞尿固化剤が、支持プレート上に落下する。この状態では支持プレートと糞尿固化剤との間に糞尿処理部材が存在しない場合、再び支持プレートと糞尿固化剤との間に糞尿処理部材を敷設する必要がある。かかる場合には、支持プレートを側壁から引き出すと支持プレート上の余剰糞尿固化剤は、第１処理容器から第２処理容器に落下して第２処理容器の内部に貯留される。その後、支持プレートを側壁に装着し、その支持プレート上に糞尿処理部材を敷設する。こうして支持プレート上に糞尿処理部材を敷設した状態で、第２処理容器の内部に貯留されている糞尿固化剤を第１処理容器に投入する。
【００１８】
請求項９に記載の糞尿処理トイレは、請求項８に記載の糞尿処理トイレにおいて、前記側壁には、前記第２処理容器を引き出し可能に装着するための開口部を形成しつつ、前記第１処理容器を支持する足場部材が連設されている。
【００１９】
請求項１０に記載の糞尿処理トイレは、請求項９に記載の糞尿処理トイレにおいて、前記足場部材の一端側には、前記第２処理容器の底面を支持する土台部材が連設されている。
【００２０】
請求項１１に記載の糞尿処理トイレは、請求項８から１０のいずれかに記載の糞尿処理トイレにおいて、前記第１処理容器の側壁には、前記糞尿処理部材に穿設された位置決め孔に挿嵌する挿嵌部材が配設されている。
【００２１】
請求項１２に記載の糞尿処理トイレは、請求項８から１１のいずれかに記載の糞尿処理トイレにおいて、前記側壁には前記支持プレートと対峙するように、前記糞尿処理部材に穿設された落とし孔よりも小さい孔を有する網状体が固定されている。
【００２２】
【発明の実施の形態】以下、本発明の好ましい実施例について、添付図面を参照して説明する。図１は、本発明の実施例における糞尿処理部材１の構成を概略的に示した構成図である。
【００２３】
糞尿処理部材１は、小動物の糞尿を固める糞尿固化剤によって固められた糞尿塊を処理するための部材である。この糞尿処理部材１は、略長方形のシート体１０で構成されており、シート体１０の中央部には、角穴で構成された落とし孔１２が縦横に複数穿設されている。シート体１０の周縁部には、シート体１０を設置した場合の位置ズレを防止する４つの位置決め孔１１ａ，１１ｂ，１１ｃ，１１ｄがそれぞれ穿設されている。また、シート体１０の端部には収納部材２０が連設されている。
【００２４】
落とし孔１２は、面積が略８０平方ミリメートルの大きさの角穴で穿設され、４つの位置決め孔１１ａ，１１ｂ，１１ｃ，１１ｄは、φ６の貫通孔としてそれぞれ穿設されている。
【００２５】
収納部材２０は、後述する糞尿固化剤３５によって固められた糞の塊、若しくは、固められた尿の塊としての糞尿塊Ｗを包み込んだ状態のシート体１０を収納するためのものである。糞尿塊Ｗを包み込んだ状態のシート体１０を収納した収納部材２０は、そのままゴミとして処分することができる。また、収納部材２０は、対峙する２面を有する袋体で構成され、その内の１面がシート体１０の端部と連設されている。
【００２６】
シート体１０と収納部材２０とは、不織布で構成されている。不織布は、一般的に、原料や製法の組み合わせによって、布状や紙状などの様々な形状で製作したり、しなやかなものから強靱なものまで製作することができるので、例えば、小動物の排出する糞尿に対する耐水性を持たしたり、糞尿の重さに耐える耐重性を持たすことができる。また、消臭剤や抗菌剤などを一緒に織り込んだり、シート体の表面に塗布することにより、消臭作用や抗菌作用も得られるよう構成することができる。
【００２７】
本実施例では、シート体１０と収納部材２０とは、小動物の排出する尿に耐えられる若干の耐水性と、固められた糞尿塊Ｗの重さに耐えられる耐重性と、固められた糞尿の臭気を押さえる消臭効果と、固められた糞尿の雑菌の繁殖を抑える抗菌効果とを備えている。
【００２８】
次に、図２を参照して糞尿処理部材１を使用する糞尿処理トイレ３０について説明する。図２は、糞尿処理部材１を用いた糞尿処理トイレ３０の構成を概略的に示した構成図である。なお、上述した糞尿処理部材１の詳細についての符号は、省略して図示している。
【００２９】
糞尿処理トイレ３０は、箱状の筐体３１と筐体３１の中段部にスライド式に引き出し可能に動作する支持プレート３２と、その下方にメッシュ状の金属部材で構成された網状体３３と、さらに、その下方にスライド式に引き出し可能に動作する受け容器３４と、筐体３１の側壁に配設された４つの挿嵌部材３６ａ，３６ｂ，３６ｃ，３６ｄとで主に構成されている。
【００３０】
筐体３１は、略正方形の箱状に形成されており、支持プレート３２を差し込んだ状態のときに、支持プレート３２の上部に存在する複数の糞尿処理部材１ａ〜１ｚの配置と後述する糞尿固化剤３５の貯留とをする第１の領域と、支持プレート３２の下部に存在する受け容器３４を差し込み可能な第２の領域とを備えて構成されている。
【００３１】
支持プレート３２は、板状に構成され、筐体３１から略水平方向に引き出し易いようツマミが取り付けられている。また、支持プレート３２を筐体３１に差し込んだときに、筐体３１の第１の領域と第２の領域とを確実に遮断するように構成されている。よって、支持プレート３２を筐体３１に差し込んだ状態では、支持プレート３２上の複数枚の糞尿処理部材１ａ〜１ｚと糞尿固化剤３５とは、支持プレート３２に支持され、第１の領域から第２の領域への落下が防止されている。
【００３２】
網状体３３は、支持プレート３２と対峙して筐体３１に囲まれるようにして固定されており、支持プレート３２と網状体３３との間隔は、略数ミリメートルとなっている。本実施例では、金属素材の断面の直径が略１ミリメートルの円柱状部材が略５ミリメートルの間隔でメッシュ状に構成されている。
【００３３】
受け容器３４は、上面が開放された箱状に構成され、支持プレート３２の下方に配置され、筐体３１の開口部から略水平方向に引き出し易いように取っ手が取り付けられている。また、受け容器３４は、受け容器３４を筐体３１の第２の領域に差し込んだ状態で、支持プレート３２を引き出した場合に、第１の領域から落下する糞尿固化剤３５の全部を受け止めて貯留できるように構成されている。
【００３４】
糞尿固化剤３５は、一般に市販されている猫の糞尿を固める砂であり、主な原料として鉱物系で構成されたもの、紙材で構成されたもの、木材で構成されたものと種々存在するが、実施例では、木材で構成された固まる猫の砂を用いている。この糞尿固化剤３５は、猫が排出する糞尿を固めるだけでなく、脱臭力の高い木粉を使用して臭気を閉じこめたり、高温殺菌処理と抗菌剤を配合して雑菌の発生を防止するものである。
【００３５】
挿嵌部材３６ａ，３６ｂ，３６ｃ，３６ｄは、筐体３１の第１の領域の内壁に取り付けられ、糞尿処理部材１ａ〜１ｚに穿設される４つの位置決め孔１１ａ，１１ｂ，１１ｃ，１１ｄに挿嵌する。また、挿嵌部材３６ａ，３６ｂ，３６ｃ，３６ｄは、複数枚の糞尿処理部材１ａ〜１ｚを積層できるように棒状に構成されており、実施例では、直径略５ミリメートルの円柱体として配設されている。挿嵌部材３６ａ，３６ｂ，３６ｃ，３６ｄに糞尿処理部材１ａ〜１ｚの位置決め孔１１ａ，１１ｂ，１１ｃ，１１ｄが挿嵌されると、例えば、猫が糞尿を排出した後に、その糞尿に糞尿固化剤３５を掛けようとして糞尿固化剤３５に穴を穿る動作をし、猫の爪が万一、糞尿処理部材１ａ〜１ｚに触れたとしても、糞尿処理部材１ａ〜１ｚの配置ズレを防止することができる。
【００３６】
上述したように構成された糞尿処理トイレ３０は、猫の糞尿の処理をするときには、筐体３１に支持プレート３２と受け容器３４とを差し込んで、支持プレート３２の上部には、複数枚の糞尿処理部材１ａ〜１ｚが、その糞尿処理部材１ａ〜１ｚに穿設されたそれぞれの位置決め孔１１ａ，１１ｂ，１１ｃ，１１ｄが挿嵌部材３６ａ，３６ｂ，３６ｃ，３６ｄに挿嵌するように配置される。また、その糞尿処理部材１ａ〜１ｚの上には、糞尿固化剤３５が山積みにされる。
【００３７】
ここで、糞尿処理部材１ａ〜１ｚは、支持プレート３２より若干大きく製作されており、且つ、糞尿処理部材１ａ〜１ｚの四隅は、四角形を切り取った形状になっている。よって、糞尿処理部材１ａ〜１ｚを支持プレート３２の上部に配置すると、糞尿処理部材１ａ〜１ｚの端部は、筐体３１の側壁に沿って上方に折り曲げられつつ配置されることになる。よって、糞尿処理部材１ａ〜１ｚを糞尿処理トイレ３０の内部から引っ張り上げる場合には、この上方に折り曲げられた糞尿処理部材１ａ〜１ｚの端部は取っ手として作用し、糞尿処理部材１ａ〜１ｚを糞尿処理トイレ３０の内部から容易に引っ張り上げることができる。
【００３８】
次に、上述したように構成された糞尿処理部材１と糞尿処理トイレ３０との使用方法について、図３を参照して説明する。図３（ａ）は、図２のＩＩＩ−ＩＩＩ断面線における糞尿処理トイレ３０の断面図であって、糞尿固化剤３５によって糞尿が固められた状態を示す図であり、図３（ｂ）は、糞尿処理部材１を上方に持ち上げた状態を示す図であり、図３（ｃ）は、収納部材２０にシート体１０を収納したときの状態を示す図である。なお、上述した糞尿処理部材１の詳細の符号については省略して図示している。
【００３９】
糞尿処理トイレ３０には、予め、筐体３１に支持プレート３２と受け容器３４とが差し込まれ、支持プレート３２の上部に糞尿処理部材１が配置され、この糞尿処理部材１の上に糞尿固化剤３５が山積みにされている。この山積みにされた糞尿固化剤３５に猫が糞尿を排出すると、図３（ａ）に示すように、その糞尿は糞尿固化剤３５によって固められ糞尿塊Ｗとして、糞尿処理トイレ３０内に存在することになる。
【００４０】
この糞尿塊Ｗを処理する場合には、糞尿塊Ｗと他の糞尿固化剤３５とを包み込むように糞尿処理部材１のシート体１０を持ち上げる。シート体１０を持ち上げると、シート体１０に穿設された落とし孔１２から、糞尿塊Ｗ以外の糞尿固化剤３５の大部分が振り落とされて筐体３１に戻される。
【００４１】
一方、糞尿塊Ｗは依然としてシート体１０に包み込まれた状態にある。この状態で糞尿処理者は、図３（ｂ）の上方に示すように、収納部材２０の内側に手を入れ、糞尿塊Ｗを包み込むでいるシート体を掴み取り、収納部材２０の内面を外面にするように裏返しながら糞尿塊Ｗを包み込んだシート体１０を収納部材２０の内部に収納する。こうして、図３（ｃ）に示すように、糞尿塊Ｗを包み込んだシート体１０は収納部材２０の内部に収納される。よって、糞尿処理者は、糞尿塊Ｗに一切触れることなく糞尿を処理することができる。
【００４２】
以上のような順序で糞尿処理トイレ３０に排出された糞尿を処理する仕方は、複数の糞尿処理部材１ａ〜１ｚが積層された状態であっても、同様の仕方で行われる。
【００４３】
次に、支持プレート３２上の糞尿処理部材１ａ〜１ｚがなくなった場合に、再度、糞尿処理部材を配置する方法について図４を参照して説明する。図４（ａ）は、図２のＩＩＩ−ＩＩＩ断面線における糞尿処理トイレ３０の断面図であって、支持プレート上に糞尿処理部材１がなくなった状態を示す図であり、図４（ｂ）は、支持プレート３２を引き出した状態を示す図である。
【００４４】
支持プレート３２上に複数の糞尿処理部材１ａ〜１ｚが積層された状態から、上述した処理を繰り返し行い、支持プレート３２上の糞尿処理部材１がなくなると、支持プレート上には図４（ａ）に示すように、糞尿処理部材１から落下した糞尿固化剤３５と小さな塊としての尿塊Ｚ１，Ｚ２，Ｚ３とが混在している。この尿塊Ｚ１，Ｚ２，Ｚ３は、落とし孔１２より小さいため糞尿塊Ｗを処理する際に、余剰糞尿固化剤といっしょに落とし穴１２から落下したものである。
【００４５】
この状態から、再度、糞尿処理部材１を支持プレート３２の上に配置する場合には、図４（ｂ）に示すように、支持プレート３２を筐体３４から引き抜く。すると、支持プレート３２上の糞尿固化剤３５と小さな塊としての尿塊Ｚ１，Ｚ２，Ｚ３とは下方に落下し、尿塊Ｚ１，Ｚ２，Ｚ３は支持プレート３２の下方に配置され、落とし孔１２より小さい孔を有する網状体３３の上に受け止められる。一方、網状体３３の網目より小さい糞尿固化剤３５は、網状体３３の網目を通過して、受け容器３４の内部に落下する。
【００４６】
網状体３３に受け止められた尿塊Ｚ１，Ｚ２，Ｚ３を排除した後、筐体３１に支持プレート３２を差し込み、再度、支持プレート３２の上に複数枚の糞尿処理部材１ａ〜１ｚを積層して配置する。その状態で糞尿固化剤３５が貯留されている受け容器３４を筐体３１から引き出し、その糞尿固化剤３５を糞尿処理部材１ａ〜１ｚの上に投入して、 糞尿処理部材１ａ〜１ｚの再配置を終える。
【００４７】
尚、この 糞尿処理部材１ａ〜１ｚの再配置をする方法は、支持プレート３２上に糞尿処理部材１ａ〜１ｚがなくなった場合に限られず、例えば、糞尿処理部材１ａ〜１ｚのうちの何枚かがまだ残っている場合であっても、糞尿固化剤３５の内部に小さな尿塊Ｚ１，Ｚ２，Ｚ３が存在するときにも、上述した方法と同様な方法で、その尿塊Ｚ１，Ｚ２，Ｚ３を排出しても良い。この場合には、網状体３３は、糞尿処理部材１ａ〜１ｚが糞尿処理部材３５と一緒に落下しないように支持部材としても作用する。
【００４８】
以上説明したように、本実施例の糞尿処理部材１ａ〜１ｚによれば、従来のように余分な糞尿固化剤３５を捨てることなく、糞尿固化剤３５と糞尿塊Ｗとを分離することができる。よって、飼い主の経済的負担を軽減することができる。また、この糞尿処理部材１ａ〜１ｚを使用した糞尿処理トイレ３０によれば、支持プレート３２上に糞尿処理部材１ａ〜１ｚがなくなった場合であっても、支持プレート３２を引き抜けば、支持プレート３２上の糞尿固化剤３５は一旦受け容器３４の内部に貯留される。よって、再度、糞尿処理部材１ａ〜１ｚを設置する場合に、糞尿固化剤３５を別の容器に移し替えるという工程は不要であり、ストレスなく糞尿処理部材１ａ〜１ｚを再設置することができる。
【００４９】
以上、実施例に基づいて本発明を説明したが、本発明は、上記実施例に何ら限定されるものではなく、本発明の趣旨を逸脱しない範囲内で種々の改良変形が可能であることは容易に推察できるものである。
【００５０】
例えば、上記実施例では、猫が排出する糞尿を処理するために、シート体１０に穿設される落とし孔１２の大きさを略８０平方ミリメートルとして構成するものとしたが、落とし孔１２の大きさとしては、その大きさに限定されるものではなく、ペット用の猫であれば、その大きさは、略６０平方ミリメートルから略１００平方ミリメートルの範囲の大きさであれば、シート体１０の内部において糞尿塊Wと余剰糞尿固化剤との分離を効率良くすることができる。また、犬用の糞尿処理部材であれば、その落とし孔１２の大きさは、略４０平方ミリメートルから略１６０平方ミリメートルの範囲の大きさで構成すれば、シート体１０の内部において糞尿塊Wと余剰糞尿固化剤との分離を効率良くすることができる。
【００５１】
また、上記実施例では、糞尿処理トイレ３０に糞尿処理部材１を配置して用いるものとしたが、糞尿処理部材１を配置せずに糞尿処理トイレ３０をペット用トレイとして使用しても構わない。この場合、小動物の固められた糞尿を処分する度に、支持プレート３２を引き出せば、網状体３３によって糞尿塊Ｗや小さな尿塊Ｚ１，Ｚ２，Ｚ３を受け止め、糞尿の処理をすることができる。また、この場合には、網状体３３の網の大きさは、落とし孔１２と略同等の大きさとしてもよいし、小動物の種類や大きさに合わせて種々の大きさにするものとしてもよい。
【００５２】
また、上記実施例では、糞尿処理部材１の素材を不織布で構成するものとしたが、小動物が排出する糞尿に対する若干の耐水性と糞尿の重量に対する耐重性とを備えるものであれば、例えば、ビニール素材で構成されたもの、又は、撥水性を持つ紙素材で構成されたものなど、如何なる素材で糞尿処理部材１を構成するものとしてもよい。これらの素材で構成された糞尿処理部材１に、消臭剤や抗菌剤を塗布して消臭作用や抗菌作用を得られるようにすることは、勿論構わない。
【００５３】
また、上記実施例では、糞尿処理トイレ３０からシート体１０を上方に持ち上げやすくするように、シート体１０の四隅を四角形を切り取った形状にしたが、シート体１０の四隅の頂点からそれぞれシート体１０の中心に向かって切り込みを入れた形状としてもよい。また、糞尿処理トイレ３０の深さに合わせて四角形を切り取る大きさや切り込む長さを調整することは、勿論構わない。
【００５４】
また、上記実施例では、収納部材２０はシート体１０の端部に連設されて構成されるものとしたが、収納部材２０が連設されていない糞尿処理部材１として用いるものとしてもよい。この場合、シート体１０に糞尿塊Ｗが包み込まれた後にビニール袋などの収納具に収納する作業が必要となるが、スコップなどによって糞尿塊Ｗの処理をする場合に比較して、余分な糞尿固化剤３５が必要なくなるので、飼い主の経済的負担を軽減することができる。
【００５５】
また、上記実施例では、シート体１０の一辺の端部に連設された収納部材２０は、対峙する２面を有する袋体として構成するものとしたが、円筒形の袋体として構成するものとしてもよい。また、収納部材２０の開口部に、シート体１０と糞尿塊Ｗとを収納した状態で、開口部を閉じるように構成された紐状の部材を取り付けたり、粘着性を持たせた接着部材を取り付けて、収納部材２０から糞尿塊Ｗの流出をより確実に防止するような構成にするものとしてもよい。
【００５６】
また、上記実施例では、糞尿処理トイレ３０の形状を箱形状で構成されるものとしたが、糞尿処理トイレ３０の形状は、例えば、円柱形にしたり、三角柱形にして構成するものとしてもよい。また、糞尿処理トイレ３０の大きさは、対照となる小動物の種類や大きさに合わせて製作することは、勿論構わない。この糞尿処理トイレ３０に合わせて、又は、対照となる小動物の種類や大きさに合わせて糞尿処理部材１の大きさや形状を変えて製作することも、勿論構わない。
【００５７】
【発明の効果】請求項１に記載の糞尿処理部材によれば、シート体に包み込まれる糞尿固化剤のうち糞尿塊以外の余剰糞尿固化剤は、シート体に穿設された落とし孔からシート体の外部に振り落とされる。よって、従来のように、スコップなどにより糞尿塊の周辺にある固まっていない糞尿固化剤を必要以上に取り除いてしまう場合と比較して、固まっていない糞尿固化剤（余剰糞尿固化剤）と糞尿塊とをより確実に分離することができる。その結果、飼い主の経済的負担を軽減することができるという効果がある。
【００５８】
請求項２に記載の糞尿処理部材によれば、請求項１に記載の糞尿処理部材の奏する効果に加え、糞尿固化剤によって固められる糞尿塊を包み込むシート体の端部には、糞尿塊を包み込んだ状態のシート体を収納する収納部材が連設されている。よって、糞尿塊を包み込んだ状態のシート体を処分するための収納部材を別途用意する必要がなく、糞尿処理を効率よく行うことができるという効果がある。
【００５９】
請求項３に記載の糞尿処理部材によれば、請求項２に記載の糞尿処理部材の奏する効果に加え、糞尿固化剤によって固められた糞尿塊を包み込んだシート体を収納する収納部材は、対峙する２面を有する袋体となっており、その２面のうちの少なくとも１面がシート体の一部となって構成されている。よって、シート体と収納部材とを一体として形成することができると共に、対峙する２面を有するシンプルな構造で製作できるので、シート体に収納部材を連設するための製造工程が簡易化され、製造コストを軽減することができるという効果がある。
【００６０】
請求項４に記載の糞尿処理部材によれば、請求項１から３のいずれかに記載の糞尿処理部材の奏する効果に加え、シート体には、そのシート体の位置ズレを防止するための位置決め孔が穿設されているので、その位置決め孔を利用して、シート体の位置ズレを容易に防止することができるという効果がある。
【００６１】
請求項５に記載の糞尿処理部材によれば、請求項１から４のいずれかに記載の糞尿処理部材の奏する効果に加え、シート体の内側から余剰糞尿固化剤を外部に振り落とす落とし孔が、略４０平方ミリメートルから略１６０平方ミリメートルの大きさに構成されている。ペットして飼われている小動物としては猫や犬があるが、これらの小動物の体の大きさは様々であるものの、略４０平方ミリメートルから略１６０平方ミリメート程度の大きさの落とし孔であれば、余剰糞尿固化剤と糞尿塊とを効率良く分離することができるという効果がある。
【００６２】
請求項６に記載の糞尿処理部材によれば、請求項１から４のいずれかに記載の糞尿処理部材の奏する効果に加え、シート体の内側から余剰糞尿固化剤を外部に振り落とす落とし孔が、略６０平方ミリメートルから略１００平方ミリメートルの大きさに構成されている。小動物の中でも、特に、猫は、体の大きさに大きな違いがないので、排出される糞尿の大きさに関しても大きな違いはない。よって、略６０平方ミリメートルから略１００平方ミリメートル程度の大きさの落とし孔であれば、余剰糞尿固化剤と糞尿塊とを効率良く分離することができるという効果がある。
【００６３】
請求項７に記載の糞尿処理部材によれば、請求項１から６のいずれかに記載の糞尿処理部材の奏する効果に加え、シート体は不織布で構成されている。不織布は、一般的に、原料や製法の組み合わせよって布状や紙状などの様々な形状で製作したり、しなやかなものから強靱なものまで製作することができるので、例えば、小動物の排出する糞尿に対する耐水性を持たしたり、糞尿の重さに耐える耐重性を持たすことができる。また、消臭剤や抗菌剤などを一緒に織り込んだり、シート体の表面に塗装することにより、消臭作用や抗菌作用も得られることができるという効果がある。
【００６４】
請求項８に記載の糞尿処理トイレによれば、支持プレート上に糞尿処理部材がなくなった場合、支持プレートを側壁から引き出すと支持プレート上の糞尿固化剤は、第１処理容器から第２処理容器に落下して第２処理容器の内部に貯留される。その後、支持プレートを側壁に装着し、その支持プレート上に糞尿処理部材を敷設する。こうして支持プレート上に糞尿処理部材を敷設した状態で、第２処理容器の内部に貯留されている糞尿固化剤が、第１処理容器の内部に投入される。よって、糞尿処理部材を再配置する工程を手間無く、簡単にすることができるという効果がある。
【００６５】
請求項９に記載の糞尿処理トイレによれば、請求項８に記載の糞尿処理トイレの奏する効果に加え、側壁には、第２処理容器を引き出し可能に装着するための開口部を形成しつつ、第１処理容器を支持する足場部材が連設されている。よって、第１処理容器から第２処理容器を脱着する場合には、第１処理容器の開口部から第２処理容器を引き出すことによって、簡単に第１処理容器から第２処理容器を脱着することができるという効果がある。
【００６６】
請求項１０に記載の糞尿処理トイレによれば、請求項９に記載の糞尿処理トイレの奏する効果に加え、第１処理容器に連設される第１処理容器を支持する足部材の一端側に、第２処理容器の底面を支持する土台部材が連設されている。よって、第１処理容器と支持プレートと第２処理容器とを一体として持ち運べることができる。従って、糞尿処理トイレの移動を容易にすることができるという効果がある。
【００６７】
請求項１１に記載の糞尿処理トイレによれば、請求項８から１０のいずれかに記載の糞尿処理トイレの奏する効果に加え、第１処理容器の側壁には、糞尿処理部材に穿設された位置決め孔に挿嵌する挿嵌部材が配設されている。よって、挿嵌部材を糞尿処理部材の位置決め孔に挿嵌さえすれば、糞尿処理部材の位置ズレを簡単に防止することができるという効果がある。
【００６８】
請求項１２に記載の糞尿処理トイレによれば、請求項８から１１のいずれかに記載の糞尿処理トイレの奏する効果に加え、側壁には支持プレートと対峙するように、糞尿処理部材に穿設された落とし孔よりも小さい孔を有する網状体が固定されている。よって、糞尿処理部材によって処理しきれない糞尿塊、即ち、小動物が尿を排出したときに飛び散ってしまう尿を固めた小さい糞尿塊を第２処理容器に落下させることなく処理することができるという効果がある。
【図面の簡単な説明】
【図１】本発明の実施例における糞尿処理部材１の構成を概略的に示した構成図である。
【図２】糞尿処理部材１を使用した糞尿処理トイレ３０の構成を概略的に示した構成図である。
【図３】図３（ａ）は、糞尿固化剤３５によって糞が固められた状態を示す図であり、図３（ｂ）は、糞尿処理部材１を上方に持ち上げた状態を示す図であり、図３（ｃ）は、収納部材２０にシート体１０を収納したときの状態を示す図である。
【図４】図４（ａ）は、糞尿処理部材１が１枚も配置されていない状態を示す図であり、図４（ｂ）は、支持プレート３２を引き出した状態を示す図である。
【符号の説明】
１，１ａ〜１ｚ                          糞尿処理部材
１０                                    シート体
１１ａ，１１ｂ，１１ｃ，１１ｄ          位置決め孔
１２                                    落とし孔
２０                                    収納部材
３０                                    糞尿処理トイレ
３１                                    筐体（第１処理容器）
３２                                    支持プレート
３３                                    網状体
３４                                    受け容器（第２処理容器）
３５                                    糞尿固化剤
３６ａ，３６ｂ，３６ｃ，３６ｄ          挿嵌部材
Ｈ                                      人間の手
Ｚ１，Ｚ２，Ｚ３                        尿塊
Ｗ                                      糞尿塊
【図１】
2004194596.tif 000003
【図２】
2004194596.tif 000004
【図３】
2004194596.tif 000005
【図４】
2004194596.tif 000006